(57)【要約】【課題】蛍光ランプ、特に、シームレス蛍光ランプ用の照明器具に関して、ランプ取り付け時の破損を防止し、かつ、確実に保持する。【解決手段】この発明に係る蛍光ランプ用照明器具のソケット３００は、一対の導電端子３ａ，３ｂを有する本体１と、本体１に嵌合し、ランプ口金に当接する受金面１０と外周面とを有する受金面側カバーと、受金面側カバーの受金面に形成され、一端が外周面に開口し、ランプ口金ピンが外周面から受金面に略平行に挿入されて一対の導電端子まで到達可能とするランプ口金ピン挿入溝とを備え、ランプ口金ピン挿入溝を、一対の導電端子の位置を変化させないで、受金面側カバーをランプ口金中心線を略中心軸として回転可能とするとともに、回転時に受金面に装着されたランプ口金ピンが通過できるように構成したものである。【選択図】図３
2010170752.tif 000002
【特許請求の範囲】
【請求項１】
一対の導電端子を有するソケット本体と、
前記ソケット本体に嵌合し、ランプ口金に当接する受金面と外周面とを有する受金面側カバーと、
前記受金面側カバーの前記受金面に形成され、一端が前記外周面に開口し、ランプ口金ピンが前記外周面から前記受金面に略平行に挿入されて前記一対の導電端子まで到達可能とするランプ口金ピン挿入溝と、を備え、
前記ランプ口金ピン挿入溝を、前記一対の導電端子の位置を変化させないで、前記受金面側カバーを前記ランプ口金中心線を略中心軸として回転可能とするとともに、該回転時に前記受金面に装着された前記ランプ口金ピンが通過できるように構成したことを特徴とする蛍光ランプ用照明器具のソケット。
【請求項２】
前記一対の導電端子を略水平に配置し、１本の前記ランプ口金ピン挿入溝が前記一対の導電端子の両方へつながるように配置したことを特徴とする請求項１記載の蛍光ランプ用照明器具のソケット。
【請求項３】
前記一対の導電端子を略水平に配置し、一対の前記ランプ口金ピン挿入溝がそれぞれ前記一対の導電端子へつながるように配置したことを特徴とする請求項１記載の蛍光ランプ用照明器具のソケット。
【発明の詳細な説明】
【技術分野】
【０００１】
本発明は、蛍光ランプ用照明器具のソケットに関する。特に、１本の主管と１対の補助管からなり、さらに、補助管の端面にその中心軸に平行な１対の口金ピンを持つタイプのシームレス蛍光ランプ用の照明器具のソケットに関する。
【背景技術】
【０００２】
図７は、例えば、特開平９−１７５３２号公報に開示されている従来の蛍光ランプ用のソケット１００の構造の一例を示す正面図である。図７に示すように、ソケット本体１０１は、直管形蛍光ランプの１端に設けられた１対のピンを挿入させる挿入口１０２、垂直通過溝１０３、及び回転通過溝１０４を備える。さらに、回転通過溝１０４の左右両側にはそれぞれ接触端子１０５を設けている。蛍光ランプを装着された状態では、蛍光ランプの口金ピン１０６が接触端子１０５に挟まれている状態になる。このような構成の蛍光ランプ用のソケット１００を、直管形蛍光ランプ用の第１のタイプのソケットとする。
【０００３】
蛍光ランプを装着する場合、まず、対になった口金ピンを鉛直にし、ソケット下側から挿入口１０２へ挿入し、次に、垂直通過溝１０３に沿って上方へ移動し、一方の口金ピンが垂直通過溝１０３の端に達した後、回転通過溝１０４に沿って略９０°回転させ、接触端子１０５に挟まった状態で固定されるようにする。
【０００４】
直管形蛍光ランプ用のソケットとしては、例えば、特開平７−２２１３３号公報で開示されているように、ランプの口金と相対する受金面および導電端子をバネで支持し、ランプ装着時には、受金面と導電端子をランプ軸方向に押し込めて装着する第２のタイプもある。
【０００５】
この第２のタイプのソケットと、上記のソケットの側面に設けた溝に口金ピンを挿入し、回転して装着する第１のタイプのソケットの二つが主流である。
【０００６】
図８は、従来のシームレス蛍光ランプ２００の正面図（図８（ａ））と部分平面図（図８（ｂ））である。図８に示すように、シームレス蛍光ランプ２００は、主管８１の両端に補助管８２が、接合部８３を介して接続されている。補助管８２の端（接合部８３と反対側）の内部にはフィラメント（図示せず）が設けられ、リード線を介して、補助管８２の外部端に設けられた口金８４の１対の口金ピン８５に電気的に接続されている。
【０００７】
接合部８３を介して、２本の補助管８２と主管８１とが接合されているため、一方の補助管８２のフィラメントと他方の補助管８２のフィラメントとの間には放電路が形成され、通常照明する側の反対側に補助管８２を位置させ、主に主管８１の放電で発生する紫外線放射を主管８１に塗布した蛍光体（図示せず）が可視光に変換し、照明に利用される。このシームレス蛍光ランプ２００は主管８１の端部に暗部ができず、このシームレス蛍光ランプ２００を直線状に並べたときに均一な光の直線を作ることができる特徴がある。
【０００８】
また、このシームレス蛍光ランプ２００の口金８４は、Ｇ５としてＪＩＳ  Ｃ７７０９で規定されたものを用いており、口金８４の軸が、補助管８２の中心軸と略一致するとともに、１対の隣接する口金ピン８５を含む平面は、主管８１と補助管８２の中心線を含む平面とは垂直な位置関係になっている。これは通常天井にこのシームレス蛍光ランプ２００を設けた場合に、２本の隣接する口金ピン８５が水平に並び、均等に保持する構成になっている。
【先行技術文献】
【特許文献】
【０００９】
【特許文献１】特開平９−１７５３２号公報
【特許文献２】特開平７−２２１３３号公報
【発明の概要】
【発明が解決しようとする課題】
【００１０】
このシームレス蛍光ランプを照明器具に装着する場合、第１のタイプのソケットでは、補助管８２を回転させると、補助管８２の中心軸が離れている主管８１を大きく動かさなければならず、その範囲に部品等を設置できないなど照明器具の設計に制約ができる。
【００１１】
さらに、主管８１を持って回転させると、小さい力で大きなモーメントを持つため、口金８４及び接合部８３等に大きな力がかかり破損する可能性がある。
【００１２】
また、第２のタイプのソケットでは、ソケットへの差込時にバネを押し下げるための力が、接合部８３に主管８１軸の外側方向にずれの応力を発生させ、破損させる可能性がある。
【００１３】
この発明は、上記のような課題を解決するためになされたもので、１本の主管と１対の補助管からなり、さらに、補助管の端面にその中心軸に平行な１対の口金ピンを持つタイプのシームレス蛍光ランプを照明器具に装着する場合に一部分に大きな応力がかかることを防ぐとともに、該シームレス蛍光ランプを装着後は確実に保持し、また、該シームレス蛍光ランプの装着時にランプを動かす範囲を小さくして照明器具の設計の自由度を増した蛍光ランプ用照明器具のソケットを提供することを目的とする。
【課題を解決するための手段】
【００１４】
この発明に係る蛍光ランプ用照明器具のソケットは、一対の導電端子を有するソケット本体と、
ソケット本体に嵌合し、ランプ口金に当接する受金面と外周面とを有する受金面側カバーと、
受金面側カバーの受金面に形成され、一端が外周面に開口し、ランプ口金ピンが外周面から受金面に略平行に挿入されて一対の導電端子まで到達可能とするランプ口金ピン挿入溝と、を備え、
ランプ口金ピン挿入溝を、一対の導電端子の位置を変化させないで、受金面側カバーをランプ口金中心線を略中心軸として回転可能とするとともに、回転時に受金面に装着されたランプ口金ピンが通過できるように構成したものである。
【００１５】
また、この発明に係る蛍光ランプ用照明器具のソケットは、一対の導電端子を略水平に配置し、１本のランプ口金ピン挿入溝が一対の導電端子の両方へつながるように配置したものである。
【００１６】
また、この発明に係る蛍光ランプ用照明器具のソケットは、一対の導電端子を略水平に配置し、一対のランプ口金ピン挿入溝がそれぞれ一対の導電端子へつながるように配置したものである。
【発明の効果】
【００１７】
この発明に係る蛍光ランプ用照明器具のソケットは、一対の導電端子を有するソケット本体と、ソケット本体に嵌合し、ランプ口金に当接する受金面と外周面とを有する受金面側カバーと、受金面側カバーの受金面に形成され、一端が外周面に開口し、ランプ口金ピンが外周面から受金面に略平行に挿入されて一対の導電端子まで到達可能とするランプ口金ピン挿入溝とを備え、ランプ口金ピン挿入溝を、一対の導電端子の位置を変化させないで、受金面側カバーをランプ口金中心線を略中心軸として回転可能とするとともに、回転時に受金面に装着されたランプ口金ピンが通過できるように構成したので、１本の主管と１対の補助管からなり、さらに、補助管の端面にその中心軸に平行な１対の口金ピンを持つタイプのシームレス蛍光ランプを照明器具に装着する場合に一部分に大きな応力がかかることを防ぐとともに、シームレス蛍光ランプを装着後は確実に保持し、また、シームレス蛍光ランプの装着時にランプを動かす範囲を小さくして照明器具の設計の自由度を増すことができる。
【図面の簡単な説明】
【００１８】
【図１】実施の形態１を示す図で、照明器具のソケット３００のランプ挿入前の斜視図。
【図２】実施の形態１を示す図で、照明器具のソケット３００のランプ挿入後に対応する状態の斜視図。
【図３】実施の形態１を示す図で、照明器具のソケット３００の一部を分解した状態の斜視図。
【図４】実施の形態２を示す図で、照明器具のソケット４００のランプ挿入前の斜視図。
【図５】実施の形態２を示す図で、照明器具のソケット４００のランプ挿入後に対応する状態の斜視図。
【図６】実施の形態２を示す図で、照明器具のソケット４００の一部を分解した状態の斜視図。
【図７】従来例の照明器具のソケット部分の正面図。
【図８】実施の形態１、２あるいは従来例で用いられるシームレス蛍光ランプ２００の正面図（図８（ａ））と部分平面図（図８（ｂ））。
【発明を実施するための形態】
【００１９】
実施の形態１．
図１乃至図３は実施の形態１を示す図で、図１は照明器具のソケット３００のランプ挿入前の斜視図、図２は照明器具のソケット３００のランプ挿入後に対応する状態の斜視図、図３は照明器具のソケット３００の一部を分解した状態の斜視図である。
【００２０】
尚、ランプには、図８に示すシームレス蛍光ランプ２００を用いる。
【００２１】
図１乃至図３により、ソケット３００（蛍光ランプ用照明器具のソケット）の構成を説明する。ソケット３００は、ソケット３００の本体１（ソケット本体）と、本体１に嵌合する受金面側カバー２とを備える。
【００２２】
本体１には、２個の導電端子３ａ，３ｂが水平に並んで固定されている。導電端子３ａ，３ｂの固定手段と、導電端子３ａ，３ｂとインバータ（図示せず）との間の配線、及びソケット３００の照明器具（図示せず）への固定手段については図示していない。
【００２３】
導電端子３ａ，３ｂは弾性のある金属板製で、上下からランプの口金ピンを押さえるような構成である。また、導電端子３ａ，３ｂには、口金ピンが入る位置に、口金ピンの位置を固定するためのくぼみ４（図３参照）が形成されている。さらに、一方の導電端子３ａ（図１〜図３の左側）は他方の導電端子３ｂ側から、導電端子３ｂは両側からランプ口金ピンが通過できるように、力が加わると隙間が開くようになっている。
【００２４】
また、口金ピンがスムーズに通過できるようにテーパー５（図３参照）をつけている。ソケット３００の本体１の導電端子３ｂに対向する側面１３に、ランプ口金ピンが通過できる寸法の切り欠き６（図３参照）が形成されている。この切り欠き６と、導電端子３ａ，３ｂのランプ口金ピン通過位置が対応するようになっている。
【００２５】
本体１の側面部には、狭い幅の保持くぼみ７（図３参照）が円周状に設けられている。図示していないが、受金面側カバー２は、受金面１０の反対側の内側に、保持くぼみ７に入り込んで抜けなくするためのフックを、複数個備える。フックは、例えば、９０°間隔で４個、あるいは１２０°間隔で３個形成されている。このフックは受金面側カバー２を本体１に対して、軸方向には動かないように保持するが、回転方向は動く。一例では、フックに対応して４個あるいは３個のストッパー８（図３参照）が保持くぼみ７に、９０°間隔あるいは１２０°間隔で設けられており、９０°弱、あるいは１２０°弱以上回らないようにしてある。
【００２６】
受金面側カバー２の側面１３（外周面）には、ランプ口金ピンが通過できる寸法の切り欠き９（図１〜図３）があり、さらに受金面１０には、ランプ口金ピンが通過する挿入溝１１（図１〜図３）が、切り欠き９から水平に導電端子３ａ，３ｂ上まで設けられている。挿入溝１１を、ランプ口金ピン挿入溝と定義する。
【００２７】
さらに、挿入溝１１は、導電端子３ａ，３ｂに対向するそれぞれの位置からほぼ９０°向きを変えて同心円状に、一方（導電端子３ａに対応する）は上方に向かって、他方（導電端子３ｂに対応する）は下方に向かってのばしている（図１、図３の場合）。一例では、中心軸に対して９０°弱の位置まで続けて、そこで、挿入溝１１の終端１２としている。なお、受金面側カバー２の回転は、挿入溝１１でも規制していることになるため、本体１のストッパー８は必ずしも必要ではないが、回転角度の規制幅の精度を上げる効果はある。
【００２８】
このソケット３００を２個、照明器具の両側に、受金面１０を外側にむけて、ランプの口金間隔にあわせて設けている。
【００２９】
シームレス蛍光ランプ２００（図８）の照明器具への装着時は、照明器具両端のソケット３００の受金面側カバー２を、図１に示す回転位置にセットする。即ち、受金面側カバー２の切り欠き９と本体１の切り欠き６とが対向し、受金面側カバー２の挿入溝１１と導電端子３ａ，３ｂとが対向する状態にセットする。
【００３０】
まず、一方のソケット３００に、挿入溝１１に連なる切り欠き９から１対のランプ口金ピンを挿入し、導電端子３ａ，３ｂの位置まで移動させる。導電端子３ａの位置まで移動される口金ピンは、受金面側カバー２の切り欠き９、本体１の切り欠き６、導電端子３ｂ（両側からランプ口金ピンが通過できる）を通過して導電端子３ａに至る。また、導電端子３ｂの位置まで移動される口金ピンは、受金面側カバー２の切り欠き９、本体１の切り欠き６を通過して導電端子３ｂに至る。
【００３１】
次に、他方のソケット３００に、挿入溝１１に連なる切り欠き９から、反対側の１対のランプ口金ピンを挿入して、同様に導電端子３ａ，３ｂの位置まで移動させる。
【００３２】
次に、それぞれの受金面側カバー２を回転させて（図１、図２の矢印方向）、ランプ口金ピンを挿入溝１１に沿って動かないように固定する。受金面側カバー２を回転させることにより、一対のランプ口金ピンは、それぞれ対応する挿入溝１１の終端１２に収まる。
【００３３】
このように、挿入溝１１を、導電端子３ａ，３ｂの位置を変化させないで、受金面側カバー２をランプ口金中心線を略中心軸として回転可能とするとともに、回転時に受金面１０に装着されたランプ口金ピンが通過できるように構成したものである。
【００３４】
このときの手順として、一方のソケット３００について受金面側カバー２を回転させて固定してから、他方のソケット３００にランプ口金ピンを挿入してもよい。
【００３５】
このような構成にしたことにより、ランプ挿入時の動かす必要のある範囲は、ランプ口金ピンをソケット３００の側面から中心軸に向かって平行移動するだけで、大きく回転するような必要はなくなった。
【００３６】
また装着時に加える力は、導電端子３ａの位置まで移動される口金ピンが導電端子３ｂを通過するときと、導電端子３ａと導電端子３ｂとに口金ピンが入り込むときに必要だが、口金ピンの長さに対応するバネの収縮をさせるために必要な力と比較すると大きな力（従来例の第２のタイプのソケット）は必要としない。特に、第２のタイプは、バネを押し込む側と、口金ピンを挿入する側が反対側の端であるため、なかなかうまく入れられずに必要以上に強い力で押し込むことが多い。このような強い力を加えることによる破損の可能性が小さくなった。また、受金面側カバー２を回転させることによって、ランプ口金ピンが導電端子３ａ，３ｂの間からずれることがなく、確実に保持され続ける。
【００３７】
実施の形態２．
図４乃至図６は実施の形態２を示す図で、図４は照明器具のソケット４００のランプ挿入前の斜視図、図５は照明器具のソケット４００のランプ挿入後に対応する状態の斜視図、図６は照明器具のソケット４００の一部を分解した状態の斜視図である。
【００３８】
尚、ランプには、図８に示すシームレス蛍光ランプ２００を用いる。
【００３９】
図４乃至図６により、ソケット４００（蛍光ランプ用照明器具のソケット）の構成を説明する。ソケット４００は、ソケットの本体１と、受金面側カバー２とを備える。
【００４０】
本体１には、２個の導電端子３ａ，３ｂが水平に並んで固定されている。導電端子３ａ，３ｂの固定手段と、導電端子３ａ，３ｂとインバータ（図示せず）との間の配線、及びソケット３００の照明器具（図示せず）への固定手段については図示していない。
【００４１】
導電端子３ａ，３ｂは弾性のある金属板製で、図中左右からランプの口金ピンを押さえるような構成である。また、導電端子３ａ，３ｂには、口金ピンが入る位置に、口金ピンの位置を固定するためのくぼみ４（図６参照）が形成されている。
【００４２】
それぞれの導電端子３ａ，３ｂは図中下側からランプ口金ピンが着脱できるように、力が加わると下側の隙間が開くようになっており、かつ、スムーズに通過できるようにテーパー５をつけている。
【００４３】
ソケット本体の導電端子３ａ，３ｂ側端部の側面の下部には、２本のランプ口金ピンが導電端子３ａ，３ｂ側に通過できる寸法の切り欠き６が形成されている。
【００４４】
本体１の側面部と受金面側カバー２には、実施の形態１と同様の保持機構が設けられ、軸方向には動かないように保持するが、回転方向は動くようになっている。
【００４５】
即ち、保持機構は、本体１の側面部に形成されている保持くぼみ７及び保持くぼみ７に設けられるストッパー８（図６参照）、受金面側カバー２が備える保持くぼみ７に入り込んで抜けなくするためのフック（図示せず）で構成される。保持機構の動作は、実施の形態１と同様であるので説明は省略する。
【００４６】
受金面側カバー２の側面１３の下部（図４、図６）には、導電端子３ａ，３ｂに対応して、ランプ口金ピンが通過できる寸法の２個の切り欠き９ａ，９ｂが形成されている。
【００４７】
さらに受金面１０には、ランプ口金ピンが通過する２本の挿入溝１１ａ，１１ｂが、２個の切り欠き９ａ，９ｂから垂直に導電端子３ａ，３ｂ上まで設けられている。
【００４８】
さらに、導電端子３ａ，３ｂのそれぞれの位置から同心円状に一方（導電端子３ａに対応する）はそのまま上方に向かって曲がりながら、他方（導電端子３ｂに対応する）は下方に向かって曲がりながらのばしており、一例では、中心軸に対して９０°弱の位置まで続けて、そこで、挿入溝１１ａ，１１ｂの終端１２ａ，１２ｂとしている。
【００４９】
実施の形態１と同様、この２個のソケット４００を、照明器具の両側に、受金面１０を外側にむけて（受金面１０同士が対向する）、ランプの口金間隔にあわせて設けている。
【００５０】
また、シームレス蛍光ランプ２００（図８）の照明器具への装着は、ランプ口金ピンを下側から挿入することが異なるのみで、実施の形態１と同様になされる。実際、下側から入れるので、一方を挿入している間、他方を支えている必要がある。
【００５１】
実施の形態１と同様、このような構成にしたことにより、ランプ挿入時の動かす必要のある範囲は、ランプ口金ピンをソケット４００の側面（下部）から中心軸に平行移動するだけで、大きく回転するような必要はなくなった。
【００５２】
また装着時に加える力は、ランプ口金ピンを導電端子３ａと導電端子３ｂに入れるときに必要だが、大きな力は必要なく、このため口金８４及び接合部８３（図８）等破損の可能性が小さくなった。
【００５３】
また、受金面側カバー２を回転させることによって、一対のランプ口金ピンは、それぞれ対応する挿入溝１１ａ，１１ｂの終端１２ａ，１２ｂに収まる。そのため、ランプ口金ピンが導電端子３ａ，３ｂの間からずれることがなく、確実に保持され続ける。
【００５４】
このように、挿入溝１１ａ，１１ｂを、導電端子３ａ，３ｂの位置を変化させないで、受金面側カバー２をランプ口金中心線を略中心軸として回転可能とするとともに、回転時に受金面１０に装着されたランプ口金ピンが通過できるように構成したものである。なお、この例では、切り欠き９ａ，９ｂあるいは挿入溝１１ａ，１１ｂ等を下側に設け、下側からランプ口金ピンを挿入するように構成したが、主管８１と補助管８２の間隔が十分にある場合は、上からランプ口金ピンを挿入するような構成にすることもできる。その場合、同様な効果があるが、ランプ口金ピンを挿入した直後はずれにくく、さらにランプ装着作業がやりやすくなるという効果がある。
【００５５】
実施の形態１あるいは実施の形態２は、いずれも、導電端子３ａ，３ｂは、側面側からランプ口金ピンが挿入できるようにテーパーを付けているのに対して、受金側の端からランプ口金ピンが挿入できるようなテーパーを付けていないが、付けることが好ましい。これにより、ランプ口金ピンが受金側からも挿入できるようになる。特に、ランプ装着手順として、まず、一方の端のランプ口金ピンを受金側から直接導電端子３ａ，３ｂに挿入し、次に、他方の端の口金ピンを実施の形態１で示すようにソケット側面から挿入することが可能になる。
【００５６】
実施の形態１あるいは実施の形態２では、照明器具の両端のソケットとも同じ形式のものを用いており、このとき、回転方向を同じにする、すなわち、ソケットとしては、鏡面対称のものを用いる方法と、回転方向を逆にする、すなわち、ソケットとしてはまったく同じものを用いる方法とがある。
【００５７】
回転方向を同じにすると、ランプ口金ピンが同じ方向にずれて、ランプが回転気味になる可能性があり、この場合、好ましくない。このため、回転方向を逆にした方がより好ましい。
【００５８】
但し、実施の形態１の場合は、鏡面対称のソケットを用いる方が、両側の口金ピンを同じ方向からソケットに挿入できるので、作業性がよく好ましい。
【００５９】
実施の形態１の場合でも、照明器具の両端のソケットにまったく同じものを用いることは可能である。両側の口金ピンのソケットへの挿入方向が逆になるが、ねじるようにして挿入することができる。
【００６０】
実施の形態１あるいは実施の形態２では、照明器具の両端のソケットとも同じ形式のものを用いているが、必ずしも、同じ形式の必要はなく、少なくとも一方のソケットが、実施の形態１あるいは実施の形態２で示したものであれば、同様な効果が得られる。
【００６１】
例えば、他方のソケットを、受金面に導電端子３ａ，３ｂに対応して、そこに装着されるランプ口金ピンの径より若干大きな孔を設け、その孔を介して直接、導電端子３ａ，３ｂにランプ口金ピンを差し込むようにした単純なものとすることができる。この場合のランプ装着手順は、まず、後者のソケットにランプ口金ピンを受金側から直接導電端子３ａ，３ｂに挿入し、次に、もう一方の端の口金ピンを実施の形態１で示すようにソケット側面から挿入することになる。
【００６２】
実施の形態１あるいは実施の形態２について、いずれも、受金面と導電端子３ａ，３ｂ間に、本体１に固定した保持面を設け、この保持面に、ランプ装着時にランプ口金ピンが通過する溝を設けてもよい。この溝は導電端子３ａ，３ｂと位置関係がずれないため、受金面の溝より単純なかたち、すなわち、実施の形態１では水平の直線的な１本の溝、実施の形態２では、垂直の直線的な２本の溝とすることができる。この溝がランプ口金ピンの動きやズレをより狭く規制するため、導電端子３ａ，３ｂの破損などの不具合がより起こりにくくなる効果がある。
【００６３】
実施の形態１あるいは実施の形態２について、いずれも、補助管８２（図８）の口金側端を乗せることができる支持板を、受金面に設けてもよい。ランプ装着時にこの支持板に補助管８２を乗せながら作業することにより、作業の効率を上げることができる場合がある。
【００６４】
実施の形態１あるいは実施の形態２のいずれの場合も、ランプ装着作業時、受金面を回転させているかどうかわかりにくいため、側面１３に印を設けるのが効果的で、作業を確実におこなうことができる。
【符号の説明】
【００６５】
１  本体、２  受金面側カバー、３ａ  導電端子、３ｂ  導電端子、４  くぼみ、５  テーパー、７  保持くぼみ、８  ストッパー、９  切り欠き、９ａ  切り欠き、９ｂ  切り欠き、１０  受金面、１１  挿入溝、１１ａ  挿入溝、１１ｂ  挿入溝、１２  終端、１２ａ  終端、１２ｂ  終端、１３  側面、８１  主管、８２  補助管、８３  接合部、８４  口金、８５  口金ピン、１００  ソケット、１０１  ソケット本体、１０２  挿入口、１０３  垂直通過溝、１０４  回転通過溝、１０５  接触端子、１０６  口金ピン、２００  シームレス蛍光ランプ、３００  ソケット、４００  ソケット。
【図１】
2010170752.tif 000003
【図２】
2010170752.tif 000004
【図３】
2010170752.tif 000005
【図４】
2010170752.tif 000006
【図５】
2010170752.tif 000007
【図６】
2010170752.tif 000008
【図７】
2010170752.tif 000009
【図８】
2010170752.tif 000010